(57)【要約】      （修正有）【課題】スムーズに装着でき、上蓋部から容易に落ちにくく、且つ、周縁部の浮きを最小限に抑えることが可能な缶蓋用取付表示体を提供する。【解決手段】下側板材７と上側板材８とが積層されてなる缶蓋用取付表示体１は、下側板材７が中央部分より外側にプルリング通過孔２ａを具備し、上側板材８が中央部分より外側にプルリング通過孔２ｂとプルリング通過孔２ｂより中央部分側に剥離部６とを具備し、剥離部６の先端側には、プルリング通過孔２ｂに突出するツマミ突部４が形成され、ツマミ突部４は接着部分を有さず、プルリング通過孔２ａとプルリング通過孔２ｂとがそれぞれの形成範囲内で重なってプルリング通過部２が構成されるようにして上側板材７と下側板材８とが接着され、プルリング通過部２の板材外周方面から係止突部３が中心に向けて設けられて、構成される。【選択図】図１
2014031185.tif 000002
【特許請求の範囲】
【請求項１】
下側板材と上側板材とが積層されてなる缶蓋用取付表示体であって、
前記下側板材は、中央部分より外側にプルリング通過孔を具備し、
前記上側板材は、中央部分より外側にプルリング通過孔と、当該プルリング通過孔より中央部分側に剥離部とを具備し、前記剥離部の先端側には、当該プルリング通過孔に突出するツマミ突部が形成され、
前記ツマミ突部は接着部分を有さず、前記下側板材のプルリング通過孔と前記上側板材のプルリング通過孔とがそれぞれの形成範囲内で重なってプルリング通過部が構成されるようにして前記上側板材と前記下側板材とが接着され、
前記プルリング通過部の板材外周方面から係止突部が中心に向けて設けられている、
ことを特徴とする缶蓋用取付表示体。
【請求項２】
前記係止突部は、前記下側板材に設けられていることを特徴とする請求項１に記載の缶蓋用取付表示体。
【請求項３】
下側板材と上側板材とが積層されてなる缶蓋用取付表示体であって、
前記下側板材は、略中央部分から外周方向に、飲料缶ステイオンタブの軸支部分周囲を通すことが可能な形状とステイオンタブの幅より広い幅とを有するタブ通過孔を具備し、
前記上側板材は、略中央部分から外周方向に、ステイオンタブの幅より広い幅を有するタブ通過孔を具備し、当該タブ通過孔が設けられている外周方向とは反対側の領域に剥離部を具備し、前記剥離部の先端側には、当該タブ通過孔に突出するツマミ突部が形成されており、
前記ツマミ突部は接着部分を有さず、前記下側板材のタブ通過孔と前記上側板材のタブ通過孔とがそれぞれの形成範囲内で重なってタブ通過部が構成されるようにして前記上側板材と前記下側板材とが接着され、
前記タブ通過部の板材外周方面から係止突部が中心に向けて設けられている、
ことを特徴とする缶蓋用取付表示体。
【請求項４】
前記下側板材のタブ通過孔と前記上側板材のタブ通過孔には、それぞれの板材外周方面から係止突片が各々中心に向けて設けられ、前記各々の係止突片が接着されて前記係止突部が形成されていることを特徴とする請求項３に記載の缶蓋用取付表示体。
【請求項５】
前記係止突部が、前記下側板材に設けられていることを特徴とする請求項３に記載の缶蓋用取付表示体。
【請求項６】
前記係止突部が、前記上側板材に設けられていることを特徴とする請求項３に記載の缶蓋用取付表示体。
【発明の詳細な説明】
【技術分野】
【０００１】
本発明は、飲料缶等に取り付けて使用される缶蓋用取付表示体に係り、特に、ステイオンタブを取り付ける販促用の取付表示体に関する。
【背景技術】
【０００２】
一般に、飲料缶等の蓋部に取り付けて使用される表示体としては、周辺部を接着して積層した２枚の紙製円板でカンズメ用蓋本体を形成し、上面の円蓋には広告、デザイン等の内容表示を施すと共に把手用切り込みを設け、下面の円蓋にはカンズメの開蓋用把手を差し込む切り込みを設けてカンズメに脱着可能にしたカンズメ用蓋が知られている。この種のカンズメ用蓋として包装体としては、例えば特許文献１に記載のものがある。
【０００３】
また、略三角形状で缶の上蓋より一回り大きなサイズの板紙からなり、上蓋を覆う領域より外側で且つ周方向の３箇所にそれぞれ折曲げ領域を形成するため３本の弓状の切込線が設けられた缶用ラベルが知られている。この種の缶用ラベルとしては、例えば特許文献２に記載のものがある。前記切込線の一部によって各折曲げ領域の中程に爪部分が区画されており、さらに、各切込線の両端を結ぶ直線状の押罫が設けられ、弓状の切込線と直線状の押罫によって円弧状部分が区画されている。缶の上部に載置するときに各円弧状部分をそれぞれ押罫のところで下側に折り返すと共に各折曲げ領域を下側に折り曲げてそれぞれ内側向きの爪部分を出し、円弧状部分を折り返した状態のままで、爪部分を上蓋における縁の外側に引っかけることにより、缶の上部に取り付けられ、缶への取付状態において缶の胴部の直径以内に納まるサイズになる構造である。
【先行技術文献】
【特許文献】
【０００４】
【特許文献１】実公昭５６−１３２５０号公報
【特許文献２】特許第４５０２１７８号公報
【発明の概要】
【発明が解決しようとする課題】
【０００５】
特許文献１に記載のカンズメ用蓋は、缶の上部に係止されて上蓋と下蓋との間にスプーン等を収納したり蓋部分が広告等の表示体の役割をする等の点で利便性を発揮している。しかし、当該カンズメ用蓋は、カンズメの開蓋用把手の軸支部が、缶上面の中央部分にではなく、外周方面に設けられている缶を前提とした構造であり、飲料缶の上蓋部に適用するのは困難である。また、隆起した大型缶の上蓋部に適用しようとした場合、隆起した上蓋部は当該カンズメ用蓋との間に浮きを生じ、運搬や配列時の破損を生むことが懸念される。
【０００６】
また、特許文献２に記載の缶用ラベルは、上蓋を覆う領域より外側で且つ周方向の３箇所にそれぞれ折曲げ領域が形成されているため、缶の胴部の直径より外側に突出する部分が存在することとなり、運搬時や店頭への配列時にラベルが破損したり、引っ掛かりによってどこかに紛失するといったことも招きかねない。
【０００７】
そこで、本発明は上記問題点を解決するものであり、その課題は、スムーズに装着でき、上蓋部から容易に落ちにくく、且つ、周縁部の浮きを最小限に抑えることが可能な缶蓋用取付表示体を提供することにある。
【課題を解決するための手段】
【０００８】
斯かる実情に鑑み、本発明の缶蓋用取付表示体は、下側板材と上側板材とが積層されてなり、前記下側板材は、中央部分より外側にプルリング通過孔を具備し、前記上側板材は、中央部分より外側にプルリング通過孔と、当該プルリング通過孔より中央部分側に剥離部とを具備し、前記剥離部の先端側には、当該プルリング通過孔に突出するツマミ突部が形成され、前記ツマミ突部は接着部分を有さず、前記下側板材のプルリング通過孔と前記上側板材のプルリング通過孔とがそれぞれの形成範囲内で重なってプルリング通過部が構成されるようにして前記上側板材と前記下側板材とが接着され、前記プルリング通過部の板材外周方面から係止突部が中心に向けて設けられていることを特徴としている。
【０００９】
この発明によれば、完成された缶蓋用取付表示体において、中央部分より外側に設けられたプルリング通過部に、飲料缶のステイオンタブ先端側のプルリング部を通すことができ、プルリング通過部の板材外周方面から中心に向けて設けられた係止突部をプルリング部の下側に差し入れることができる。これにより、缶蓋用取付表示体を上蓋部にスムーズに装着でき、且つ、缶蓋用取付表示体を上蓋部から容易に落ちにくくするという効果を奏する。
【００１０】
また、剥離部が設けられているので、剥離部の内側やその接する下側板材部分の一方又は両方に販促用の情報を印刷することができる。こうすれば、缶蓋用取付表示体は、剥離部を剥がしたときに印刷内容を確認できる広告やくじの役割を果たすことができる。
【００１１】
本発明では、前記係止突部は、前記下側板材に設けられていることがのぞましい。この構成によれば、上側板材におけるツマミ突部の設計の自由度が増し、ツマミ突部を、プルリング部のある領域にまで延伸させることも可能になる。こうすれば、まず、ツマミ突部がプルリング部の上に乗り、指でつまみやすくなる。また、ステイオンタブを指で起こして開缶するのと同時にツマミ突部が一緒に起こされるというプロセスによっても、ツマミ突部をつまむきっかけとなり、剥離部の剥離作業が容易になる。また、剥離部の基部からツマミ突部の先端までの長さを大きくできるので、剥離部の割合を大きく確保することも可能となり、くじや広告などの情報を印字するスペースが広くなるという効果を奏する。
【００１２】
ツマミ突部の設計の自由度が増すことによって、ツマミ突部を、プルリング部の指を掛ける位置にまで延伸させれば、ツマミ突部の先端を当該縁部の下に差し込むことも可能になる。こうすれば、缶蓋用取付表示体は飲料缶に対してより強固に係止される一方で、飲料缶を開缶したときに剥離部が剥がされる構造にもなり、いたずらに剥離部が剥がされる事態を防ぐことができる。
【００１３】
また、別の発明として、下側板材と上側板材とが積層されてなり、前記下側板材は、略中央部分から外周方向に、飲料缶ステイオンタブの軸支部分周囲を通すことが可能な形状とステイオンタブの幅より広い幅とを有するタブ通過孔を具備し、前記上側板材は、略中央部分から外周方向に、ステイオンタブの幅より広い幅を有するタブ通過孔を具備し、当該タブ通過孔が設けられている外周方向とは反対側の領域に剥離部を具備し、前記剥離部の先端側には、当該タブ通過孔に突出するツマミ突部が形成されており、前記ツマミ突部は接着部分を有さず、前記下側板材のタブ通過孔と前記上側板材のタブ通過孔とがそれぞれの形成範囲内で重なってタブ通過部が構成されるようにして前記上側板材と前記下側板材とが接着され、前記タブ通過部の板材外周方面から係止突部が中心に向けて設けられている缶蓋用取付表示体を構成することもできる。
【００１４】
この発明によれば、缶蓋用取付表示体は、タブ通過部に、ステイオンタブの周囲を通すことができる形状、及び、ステイオンタブの幅よりわずかに広い幅を有し、係止突部がプルリング部の下側に差し入れられるようになっている。これにより、缶蓋用取付表示体は、まず、下側板材の厚み分で下側（上蓋部側）に沈み込むことができる。次に、上側板材のタブ通過孔に突出したツマミ突部は、ステイオンタブと接触して圧力を受けて少し上側に曲がる。これにより、缶蓋用取付表示体は、上側板材の厚み分でさらに下側に沈み込む。以上により、缶蓋用取付表示体は、下側板材及び上側板材の両方の厚み分で下側に沈み込むことができるので、飲料缶の上蓋部から上側に出っ張る部分が無く、運搬時や配列時の破損等が少なくなるという効果を奏する。
【００１５】
また、本発明にいて、前記下側板材のタブ通過孔と前記上側板材のタブ通過孔には、それぞれの板材外周方面から係止突片が各々中心に向けて設けられ、それぞれの前記係止突片が相互に接着されて前記係止突部が形成されている構成をとることもできる。
【００１６】
この構成によれば、係止突部の厚みが増幅され、係止突部がプルリング部の下側に差し入れられたときに、缶蓋用取付表示体の上蓋部への係止をより強固にする。そして、係止突部の厚みが増幅付されたことによって弾性が強くなり、缶蓋用取付表示体がより強く下側（上蓋部側）に押し付けられる。これにより、缶蓋用取付表示体の周縁部の浮きを最小限に抑えることができる。また、隆起した飲料缶の上蓋部上面に係止する場合でも、厚みが増幅された係止突部は、ステイオンタブと隆起した飲料缶の上面との間に生じた隙間を埋めることができる。
【００１７】
本発明において、前記係止突部が、前記下側板材に設けられている構成を採ることもできる。
【００１８】
この構成によれば、上側板材におけるツマミ突部の設計の自由度が増し、特に、ツマミ突部を、プルリング部のある領域にまで延伸させることも可能になる。こうすれば、まず、ツマミ突部がプルリング部の上に乗り、指でつまみやすくなる。また、ステイオンタブを指で起こして開缶するのと同時にツマミ突部が一緒に起こされるというプロセスによっても、ツマミ突部をつまむきっかけとなり、剥離部の剥離作業が容易になる。また、剥離部の基部からツマミ突部の先端までの長さを大きくできるので、剥離部の割合を大きく確保することも可能となり、くじや広告などの情報を印字するスペースが広くなるという効果を奏する。
【００１９】
ツマミ突部の設計の自由度が増すことによって、ツマミ突部を、プルリング部の指を掛ける位置にまで延伸させれば、ツマミ突部の先端を当該縁部の下に差し込むことも可能になる。こうすれば、缶蓋用取付表示体は飲料缶に対してより強固に係止される一方で、飲料缶を開缶したときに剥離部が剥がされる構造にもなり、いたずらに剥離部が剥がされる事態を防ぐことができる。
【００２０】
本発明において、前記係止突部が、前記上側板材に設けられている構成を採ることもできる。
【００２１】
この構成によれば、下側板材にはタブ通過孔として略円形や略楕円形の孔のみを設け、上側板材のタブ通過孔にのみ係止突部やツマミ突部を設ければよいので、構成が簡略化されながらも、ツマミ突部によって剥離部を剥がしやすくなっており、缶蓋用取付表示体を上蓋部から容易に落ちにくくするという効果を発揮することができる。
【発明の効果】
【００２２】
本発明によれば、缶蓋用取付表示体は、スムーズに装着でき、上蓋部から容易に落ちにくく、周縁部の浮きを最小限に抑えることが可能であり、販促用としても利用できるという優れた効果を奏し得る。
【図面の簡単な説明】
【００２３】
【図１】本発明の第一実施形態の分解斜視図。
【図２】第一実施形態に係る缶蓋用取付表示体の平面図［ａ］、及び、プルオンタブを破線で示した底面図［ｂ］。
【図３】第一実施形態の缶蓋用取付表示体の取付け態様を示した説明図［ａ］及び［ｂ］。
【図４】第一実施形態の缶蓋用取付表示体の剥離部を剥がすときの説明図。
【図５】本発明の第二実施形態の分解斜視図。
【図６】第二実施形態に係る缶蓋用取付表示体の平面図［ａ］、及び、プルオンタブを破線で示した底面図［ｂ］。
【図７】第二実施形態の缶蓋用取付表示体の取付け態様を示した説明図。
【図８】第二実施形態の缶蓋用取付表示体の剥離部を剥がすときの説明図。
【発明を実施するための形態】
【００２４】
次に、添付図面を参照して本発明の実施形態について詳細に説明する。図１は、第一実施形態に係る缶蓋用取付表示体１の分解斜視図、図５は、第二実施形態の分解斜視図である。通常、飲料缶１０は円筒形であり、缶胴面の上方への延在部分で形成された円枠１０ａを有する上蓋部１０ｂが備わっている。缶蓋用取付表示体１は、上蓋部１０ｂに着脱可能に被せられて使用される。したがって、缶蓋用取付表示体１は、略円形の円枠１０ａに収まる形状であればよいが、本実施形態においては、缶蓋用取付表示体１は、円枠１０ａにちょうど収まる略円形に形成される。
【００２５】
第一実施形態について、以下に説明する。缶蓋用取付表示体１は、下側板材７と上側板材８とが積層されたものである。下側及び上側の板材は、薄い紙や樹脂等の部材で構成することができる。下側板材７には、図１に示すように、プルリング通過孔２ａが設けられている。プルリング通過孔２ａは、完成された缶蓋用取付表示体１が飲料缶１０の上蓋部１０ｂに着脱可能に被せられるときに、ステイオンタブ１１の先端側にある１１ａを通すことができるよう、下側板材７の中央部分から外側にずれた縁に近い位置に設けられている。本実施形態において、プルリング通過孔２ａにおける板材中心方向の縁は、弧状となっているが、プルリング部１１ａを通すことができれば寸法及び形状は問わない。
【００２６】
プルリング通過孔２ａの外周方面からは係止突部３が中心方向に設けられている。係止突部３は、完成した缶蓋用取付表示体１が飲料缶１０の上蓋部１０ｂに被せられるときに、図３［ａ］又は図４に示すように、飲料缶１０のプルリング部１１ａの下側に差し入れられる部分である。プルリング部１１ａは、指先が掛かりやすいように、中央が上方に湾曲した形状となっていることが多い（図１中の１１ａ参照）。したがって、係止突部３は、図１や図２［ｂ］に示すような舌型形状とされると、プルリング部１１ａの中央の上方湾曲部分に容易に嵌まり込むことができ、好適である。
【００２７】
上側板材８にも、完成された缶蓋用取付表示体１が飲料缶１０の上蓋部１０ｂに被せられるときに、プルリング部１１ａを通すことができるよう、図１に示すように、上側板材８の中央部分から外側にずれた縁に近い位置にプルリング通過孔２ｂが設けられている。プルリング通過孔２ｂの外周方向の縁は、本実施形態においては弧状になっている。プルリング通過孔２ｂの板材中心方面からはツマミ突部４が外周に向けて設けられている。
【００２８】
図２［ａ］に示すように、ツマミ突部４の左右外縁線がプルリング通過孔２ｂにおける板材中心方面の縁部で交わる部分から、ミシン目５によるスリットが上側板材８の領域内に左右に延伸する。左右のミシン目５は、上側板材８の領域内でともに外周方向に拡がる部分と外周に並行して湾曲した部分とからなる曲線であり、両方の先端同士が向き合い、且つ、交わらない程度で延伸する。左右のミシン目５の内側の部分は、剥離部６となる。つまり、上側板材８においてプルリング通過孔２ｂよりも中央部分側且つミシン目５の内側に剥離部６があり、剥離部６の先端側は、プルリング通過孔２ｂの内部に突出するツマミ突部４となっている。左右のミシン目５は、両方の先端同士が向き合い、且つ、交わらないので、剥離部６は、缶蓋用取付表示体１から完全に分離されることはない。
【００２９】
缶蓋用取付表示体１は、以上のように構成された下側板材７と上側板材８とが、係止突部３やツマミ突部４以外の部分で、相互に糊や接着材で接着され、積層されてなる（図１参照）。このとき、下側板材７のプルリング通過孔２ａと上側板材８のプルリング通過孔２ｂとがそれぞれの形成範囲内で重なることでプルリング部１１ａを通すことが可能な範囲が確保され、そこにプルリング通過部２が形成される。両板材７，８同士は強固に接着されてもよいが、薄く塗付された糊で接着されていれば、剥離部６を剥がす（図４参照）ときに弱い力でも剥離部６とその接する下側板材７との接着部分を離間できる。
【００３０】
下側板材７と上側板材８とが接着される際に、剥離部６とその接する下側板材７の部分とは、以下のような態様であってもよい。まず、剥離部６、つまりミシン目５よりも内側には糊や接着剤による接着を施さない態様である。剥離部６は、この場合であっても、ミシン目５を破らない限り、下側板材７とは接触した状態に保たれている。もう一つ挙げられるのが、剥離部６とその接する下側板材７の部分とを、糊付けとは別に、剥離可能な圧着状態に加工する態様である。このようにすれば、剥離部６とその接する部分とはより強固に固定され、当然、必要時に剥がすことが可能となる。
【００３１】
剥離部６と下側板材７との圧着面のどちらか一方又は両方に情報を印刷しておけば、缶蓋用取付表示体１は、くじや広告の役割を果たすことができる。つまり、図４に示すように、ツマミ突部４が上方向に引かれるとミシン目５が破断されて剥離部６が剥がれ、その後に初めて剥離部６と下側板材７との圧着面に印刷された情報を確認できる仕組みとなる。
【００３２】
完成された缶蓋用取付表示体１おいて、係止突部３は、下側板材７又は上側板材８のどちらからであっても、プルリング通過部２の板材外周方面から中心方向に設けられていればよい。第一実施形態では、係止突部３は、下側板材７に設けられて上側板材８には設けられていないので、上側板材８におけるツマミ突部４の設計の自由度が増している。ここで、ツマミ突部４が、図３［ａ］に示すように、プルリング部１１ａのある領域にまで延伸されるのが望ましい。こうすることによって、以下の効果を奏する。
【００３３】
まず、ツマミ突部４がプルリング部１１ａの上に乗ることで指でつまみやすい形状となる。また、ステイオンタブ１１を指で起こして開缶するのと同時にツマミ突部４が一緒に起こされるというプロセスによっても、ツマミ突部４をつまむきっかけとなり、剥離部６の剥離作業が容易になる。さらに、ツマミ突部４がプルリング部１１ａの指が掛かる縁部にまで形成された場合、図３［ｂ］に示すように、ツマミ突部４の先端を当該縁部の下に差し込むことも可能になる。こうすれば、缶蓋用取付表示体１は飲料缶１０に対してより強固に係止され、飲料缶１０を開缶したときに剥離部６が剥がされる構造になり、いたずらに剥離部６が剥がされる事態を防ぐことができる。また、剥離部６の基部からツマミ突部４の先端までの長さを大きくできるので、剥離部６の割合を大きく確保することも可能となり、くじや広告などの情報を印字するスペースが広くなる。
【００３４】
第一実施形態に係る缶蓋用取付表示体１は、コーヒー飲料などにも採用される小型飲料缶１０に適している。小型飲料缶１０の上蓋部１０ｂにおいて、ステイオンタブ１１を含めそれ以外の上面もほぼ水平な面となっている。缶蓋用取付表示体１が小型飲料缶１０に係止されると、プルリング通過部２はプルリング部１１ａを通過させるのみであって、缶蓋用取付表示体１のプルリング通過部２以外の部分はステイオンタブ１１に乗っている状態である。しかし、係止突部３が、舌型形状に形成されて、プルリング部１１ａの中央の上方湾曲部分に容易に嵌まり込むことができる。したがって、缶蓋用取付表示体１は、上蓋部１０ｂから容易に落ちない程度に係止され、上蓋部１０ｂで水平方向に回転したり、ずれたりするのが防止され、係止突部３とは反対側の端部を含む周縁部の浮きが最小限に抑えられる。
【００３５】
第二実施形態として、ステイオンタブ１１の形状に合わせたタブ通過部９（図６［ｂ］参照）を有する缶蓋用取付表示体１を形成することもできる。この実施形態においても、缶蓋用取付表示体１は、下側板材７と上側板材８とが積層されてなる。下側板材７には、図５に示すように、略中央部分から外周方向にタブ通過孔９ａが設けられる。
【００３６】
タブ通過孔９ａは、完成された缶蓋用取付表示体１が飲料缶１０の上蓋部１０ｂに着脱可能に被せられるときに、ステイオンタブ１１の軸支部分の周囲を通すことができる弧状部分を有する。弧状であるほかに、ステイオンタブ１１軸支部分の周囲を通すのに支障がなければ形状は問わない。タブ通過孔９ａの幅は、ステイオンタブ１１の幅よりわずかに広く設定される。また、タブ通過孔９ａの外周方面から中心に向けて係止突片３ａが設けられている。
【００３７】
上側板材８にも、タブ通過孔９ｂが設けられる。タブ通過孔９ｂの形状は、幅がステイオンタブ１１の幅よりわずかに広く確保され、外周方面から中心に向けて係止突片３ｂが設けられる点は下側板材７のタブ通過孔９ａと共通する。タブ通過孔９ａの形状との相違部分として、係止突片３ｂと対向するツマミ突部４が、上側板材８のタブ通過孔９ｂには含まれている。タブ通過孔９ｂは、図５に示すように、一枚の上側板材８に対して係止突部３及びツマミ突部４を残す抜き加工がなされることで形成されるので、係止突部３及びツマミ突部４は、タブ通過孔９ｂの内部において相互に重ならない。
【００３８】
ツマミ突部４の左右外縁線がタブ通過孔９ｂにおける板材中心方面の縁部で交わる部分から、ミシン目５によるスリットが上側板材８の領域内に左右に延伸する。左右のミシン目５は、上側板材８の領域内でともに外周方向に拡がる部分と外周に並行して湾曲した部分とからなる曲線であり、両方の先端同士が向き合い、且つ、交わらない程度で延伸する。左右のミシン目５の内側の部分は、剥離部６となる。これらの態様は、第一実施形態におけるものと同様である。
【００３９】
第二実施系に係る缶蓋用取付表示体１は、以上のように構成された下側板材７と上側板材８とが、ツマミ突部４以外の部分で、相互に糊や接着材で接着され、積層されてなる。このとき、下側板材７のタブ通過孔９ａと上側板材８のタブ通過孔９ｂとがそれぞれの形成範囲内で重なることでプルオンタブを通すことが可能な範囲が確保され、そこにタブ通過部９が形成される。下側板材７の係止突片３ａと上側板材８の係止突片３ｂとは相互に接着されて、缶蓋用取付表示体１における係止突部３が形成される。係止突部３は、図５や図６に示すような舌型形状とされると、プルリング部１１ａの中央の上方湾曲部分に容易に嵌まり込むことができる。これにより、缶蓋用取付表示体１は上蓋部１０ｂから容易に落ちない程度に係止され、上蓋部１０ｂで水平方向に回転したり、ずれたりするのが防止される。
【００４０】
両板材７，８同士は、薄く塗付された糊で接着されていれば、剥離部６を剥がす（図８参照）ときに弱い力でも剥離部６とその接する下側板材７との接着部分を離間できる。また、ミシン目５よりも内側の剥離部６に、糊や接着剤による接着を施さない態様、又は、剥離部６とその接する下側板材７の部分とを剥離可能な圧着状態に加工する態様、及び、図８に示すような、くじや広告等の情報を印刷することができる態様等は、第一実施形態において示したものをそのまま採用することができる。
【００４１】
完成された缶蓋用取付表示体１おいて、係止突部３は、下側板材７又は上側板材８のどちらからであっても、タブ通過部９の外周方面から中心方向に設けられていればよい。第二実施形態において、係止突部３は、下側板材７に設けられた係止突片３ａ及び上側板材８に設けられた係止突片３ｂが相互に接着されたものとなっている。したがって、第一実施形態における係止突部３よりも、第二実施形態における係止突部３の方が、厚みが増幅されている。
【００４２】
また、厚みが増幅された係止突部３がプルリング部１１ａの下側に差し入れられるときの弾力で、缶蓋用取付表示体１は下側（上蓋部１０ｂ側）に押し付けられる。これにより、缶蓋用取付表示体１の周縁部の浮きを最小限に抑えることができる。また、厚みが増幅された係止突部３は、ステイオンタブ１１と隆起した飲料缶１０の上面との間に生じた隙間を埋めることができる。
【００４３】
第二実施形態では、図６［ａ］に示すように、係止突片３ｂとツマミ突部４とがタブ通過孔９ｂの内部で対向して設けられている。したがって、図７に示すように、ツマミ突部４は、ステイオンタブ１１の軸支部分付近にかかる程度の寸法となり、剥離部６を剥がすときは、主に、ツマミ突部４を指でつまんで起こすという手順になる。
【００４４】
第二実施形態に係る缶蓋用取付表示体１は、主に３５０ｍｌ用や５００ｍｌ用等といった大型飲料缶１０に適している。大型飲料缶１０の上蓋部１０ｂにおいて、ステイオンタブ１１は水平であっても、それ以外の上面部分が隆起していることが多い。この場合、缶蓋用取付表示体１のタブ通過部９が、ステイオンタブ１１の先端側のプルリング部１１ａが通過できる形状（第一実施形態）のままでは、缶蓋用取付表示体１は、上蓋部１０ｂに係止されたとき、プルリング部１１ａを通過できた部分以外の部分が、ステイオンタブ１１に乗る状態となる。つまり、缶蓋用取付表示体１の周囲部分が、隆起して丸みを帯びている大型飲料缶１０の上面から浮いた状態となる。浮いたままの缶蓋用取付表示体１は、プルリング部１１ａからずれたりして上蓋部１０ｂで安定せず、破損や紛失のリスクも大きくなる。
【００４５】
ここで、第二実施形態に係る缶蓋用取付表示体１は、図５及び図８に示すように、タブ通過部９に、ステイオンタブ１１の周囲を通すことができる形状、及び、ステイオンタブ１１の幅よりわずかに広い幅を有し、係止突部３が、図７及び図８に示すように、プルリング部１１ａの下側に差し入れられるようになっている。これにより、缶蓋用取付表示体１は、まず、下側板材７の少なくとも厚み分で下側（上蓋部１０ｂ側）に沈み込むことができる。次に、上側板材８のタブ通過孔９ｂに突出したツマミ突部４は、ステイオンタブ１１と接触して圧力を受けてわずかに上方に持ち上がる。これにより、缶蓋用取付表示体１は、ツマミ突部４以外の部分が、上側板材８の厚み分で下側に沈み込む。以上により、缶蓋用取付表示体１は下側板材７及び上側板材８の両方の厚み分で下側に沈み込むことができ、上蓋部１０ｂの上側に出っ張る部分が無く、運搬時や配列時の破損や紛失を防ぐことができる。
【００４６】
尚、本発明の缶蓋用取付表示体１は、上述の図示例にのみ限定されるものではなく、本発明の要旨を逸脱しない範囲内において種々変更を加え得ることは勿論である。例えば、第一実施形態において、係止突部３は下側板材７に設けられているが、下側板材７及び上側板材８にそれぞれ係止突片３ａ，３ｂが設けられ、両係止突片３ａ，３ｂが相互に接着されて係止突部３が構成されてもよい。つまり、係止突部３に関しては第二実施形態における係止突部３と同じ構成である。
【００４７】
また、第一実施形態における、下側板材７に設けられている係止突部３が、上側板材８にのみ設けられる構成でもよい。こうすると、下側板材７にはプルリング通過孔２ａとして略円形や略楕円形の孔のみを設け、上側板材８のプルリング通過孔２ｂにのみ係止突部３やツマミ突部４を設ければよいので、構成が簡略化される。
【００４８】
これらの第一実施形態に係る二つの変形例の場合、係止突部３及びツマミ突部４の両者は、対向して相互に重ならない長さとなる。
【００４９】
また、第二実施形態における係止突部３は、下側板材７の係止突片３ａと上側板材８の係止突片３ｂとが相互に接着されて、缶蓋用取付表示体１における係止突部３が形成されたものである。ここで、下側板材７の係止突片３ａが設けられず、上側板材８の係止突片３ｂのみが設けられて係止突部３とされる構成でもよい。この場合、下側板材７にはタブ通過孔９ａとして略円形や略楕円形の孔のみが設けられ、上側板材８にのみ係止突部３やツマミ突部４が設けられるので、構成が簡略化される。
【００５０】
逆に、上側板材８の係止突片３ｂが設けられず、下側板材７の係止突片３ａのみが設けられて係止突部３とされる構成でもよい。この場合、上側板材８におけるツマミ突部４の設計の自由度が増し、ツマミ突部４をプルリング部１１ａにかかる位置にまで延伸させる構成も可能になる。
【００５１】
これらの二つの変形例を含む第二実施形態に係る缶蓋用取付表示体１は、隆起した上蓋部１０ｂにも適していることは既述の通りであるが、隆起していない小型飲料缶１０にも用いることもできる。
【符号の説明】
【００５２】
１…缶蓋用取付表示体、２…プルリング通過部、２ａ…（下側板材）プルリング通過孔、２ｂ…（上側板材）プルリング通過孔、３…係止突部、３ａ…（下側板材）係止突片、３ｂ…（上側板材）係止突片、４…ツマミ突部、５…ミシン目、６…剥離部、７…下側板材、８…上側板材、９…タブ通過部、９ａ…（下側板材）タブ通過孔、９ｂ…（上側板材）タブ通過孔、１０…飲料缶、１０ａ…円枠、１０ｂ…上蓋部、１１…ステイオンタブ、１１ａ…プルリング部
【図１】
2014031185.tif 000003
【図２】
2014031185.tif 000004
【図３】
2014031185.tif 000005
【図４】
2014031185.tif 000006
【図５】
2014031185.tif 000007
【図６】
2014031185.tif 000008
【図７】
2014031185.tif 000009
【図８】
2014031185.tif 000010